(57)【特許請求の範囲】
【請求項１】
走行機体（１）の後部に、複数植付条分の苗載台（１６）と各植付条ごとに対する植付爪（１７）を有する植付ケース（２０）と、各植付条の箇所に対応する側条施肥シュート（４８）とを備えた植付部（１５）を昇降可能に連結する一方、
肥料を入れる施肥ホッパ（４６）と、前記側条施肥シュート（４８）ごとに肥料を定量供給する施肥繰出ケース（４７）と、前記各側条施肥シュート（４８）に搬送ホース（４９）を介して肥料を排出させるエアタンク（５１）及び送風機（５０）とからなる施肥機（３６）を前記走行機体（１）の上面後部に配置してなる田植機において、
走行機体（１）の幅方向に沿って複数植付条分の施肥繰出ケース（４７）を配置し、
前記苗載台（１６）の裏面側の左右苗台支柱（１３６）に跨がってホースガイドフレーム（１３７）を横架し、
前記各施肥繰出ケース（４７）の下部に設けられたジョイント（７６）の後端に一端が嵌着された各搬送ホース（４９）の中途部を、前記ホースガイドフレーム（１３７）に挟持バンド（１３８）を介して着脱自在に係止させ、
前記エアタンク（５１）の後側に設けられたホースガイド体（１３３）にて、２条分の前記搬送ホース（４９）の下面のうち前記ジョイント（７６）への連結部近傍を支持させ、
前記各側条施肥シュート（４８）の上端と前記各搬送ホース（４９）の下端とを合成樹脂製のブーツ（１４３）にて連結し、
該ブーツ（１４３）より上方の搬送ホース（４９）の下端部近傍を、支持部材（１４０）を介して着脱自在に前記植付ケース（２０）に係止させたことを特徴とする田植機。
【発明の詳細な説明】
【技術分野】
【０００１】
本発明は例えば苗載台及び植付爪を備えて連続的に苗植作業を行う田植機に関する。
【背景技術】
【０００２】
従来、走行車にミッドマウント型の施肥機を取付ける技術がある。（例えば、特許文献１参照）
【特許文献１】特開平５−２６８８１５号公報
【発明の開示】
【発明が解決しようとする課題】
【０００３】
前記従来技術は、走行車側の肥料繰出ケース出口を植付部側の側条施肥シュートに接続させる搬送ホースを設けていたが、植付部の昇降に必要な長さに搬送ホースを長くすると、該ホース中間部が自重で下方に折曲がり、前記ホースが下方の後輪に接触したり、前記シュート出口からホースが外れる等の不具合があると共に、環状ガイドに前記ホース中間を挿通させてホースの折曲がりを防ぐと、ホースの上方向の折曲げが制限されたり、ホース曲げ力によってガイドが変形するから、植付部上昇時などにホースが揺振して無理に曲げられ易く、ガイドが損傷したりホースの支持が不適正になる等の不具合がある。また、６条植え等の多条植付部では植付条数と同数の搬送ホースが苗載台裏面側に延設され、苗載台裏面側での前記ホースの固定を容易に行い得ない等の問題があった。また、植付部の昇降によって前記搬送ホース中間が左右方向に折れて横倒れ状態となり、隣接の植付深さ調節レバーなどに前記ホースが引掛り易い等の不具合があった。
【課題を解決するための手段】
【０００４】
請求項１に係る発明は、走行機体の後部に、複数植付条分の苗載台と各植付条ごとに対する植付爪を有する植付ケースと、各植付条の箇所に対応する側条施肥シュートとを備えた植付部を昇降可能に連結する一方、肥料を入れる施肥ホッパと、前記側条施肥シュートごとに肥料を定量供給する施肥繰出ケースと、前記各側条施肥シュートに搬送ホースを介して肥料を排出させるエアタンク及び送風機とからなる施肥機を前記走行機体の上面後部に配置してなる田植機において、走行機体１の幅方向に沿って複数植付条分の施肥繰出ケース４７を配置し、前記苗載台の裏面側の左右苗台支柱に跨がってホースガイドフレームを横架し、前記各施肥繰出ケースの下部に設けられたジョイントの後端に一端が嵌着された各搬送ホースの中途部を、前記ホースガイドフレームに挟持バンドを介して着脱自在に係止させ、前記エアタンクの後側に設けられたホースガイド体にて、２条分の前記搬送ホースの下面のうち前記ジョイントへの連結部近傍を支持させ、前記各側条施肥シュートの上端と前記各搬送ホースの下端とを合成樹脂製のブーツにて連結し、該ブーツより上方の搬送ホースの下端部近傍を、支持部材を介して着脱自在に前記植付ケースに係止させたことを特徴とする。
【発明の効果】
【０００５】
請求項１に係る発明は、走行機体の後部に、複数植付条分の苗載台と各植付条ごとに対する植付爪を有する植付ケースと、各植付条の箇所に対応する側条施肥シュートとを備えた植付部を昇降可能に連結する一方、肥料を入れる施肥ホッパと、前記側条施肥シュートごとに肥料を定量供給する施肥繰出ケースと、前記各側条施肥シュートに搬送ホースを介して肥料を排出させるエアタンク及び送風機とからなる施肥機を前記走行機体の上面後部に配置してなる田植機において、走行機体１の幅方向に沿って複数植付条分の施肥繰出ケース４７を配置し、前記苗載台の裏面側の左右苗台支柱に跨がってホースガイドフレームを横架し、前記各施肥繰出ケースの下部に設けられたジョイントの後端に一端が嵌着された各搬送ホースの中途部を、前記ホースガイドフレームに挟持バンドを介して着脱自在に係止させ、前記エアタンクの後側に設けられたホースガイド体にて、２条分の前記搬送ホースの下面のうち前記ジョイントへの連結部近傍を支持させ、前記各側条施肥シュートの上端と前記各搬送ホースの下端とを合成樹脂製のブーツにて連結し、該ブーツより上方の搬送ホースの下端部近傍を、支持部材を介して着脱自在に前記植付ケースに係止させたもので、植付部の苗載台裏面側に前記ホースガイドフレームを配設させることにより、多条用の各搬送ホースを苗載台裏面側でホースガイド体とホースガイドフレームによって後輪などに対して離反させて整列支持でき、苗載台裏面側構造の簡略化並びにメンテナンス作業性の向上などを容易に図ることができると共に、苗載台傾斜上端側を支える左右苗台支柱を利用して前記ホースガイドフレームを固定させるから、ホースガイドフレームの支持強度の確保並びに取付け構造の簡略化などを容易に行うことができ、また前記ホースガイド体及びホースガイドフレーム及び支持部材によって搬送ホース上端部及び中間部及び下端部を適正姿勢で適正位置に支持でき、泥土が付着し易い搬送ホースが脱落したり他の部材と接触するのを容易に防止できるものである。
【発明を実施するための最良の形態】
【０００６】
以下、本発明の実施例を図面に基づいて詳述する。図１は搬送ホース部の側面説明図、図２は乗用田植機の側面図、図３は同平面図を示し、図中（１）は作業者が搭乗する走行車であり、エンジン（２）を車体フレーム（３）前部上方に搭載させ、ギヤ変速ケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ギヤ変速ケース（４）等を覆い、前記車体カバー（１２）上部に運転席（１３）を取付け、その運転席（１３）の前方で前記ボンネット（９）後部に操向ハンドル（１４）を設ける。
【０００７】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００８】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
【０００９】
さらに、図４、図５に示す如く、左右一対の四角筒形の前記車体フレーム（３）（３）前部にエンジン（２）を搭載し、前車軸（３７）（３７）を介して左右前輪（６）（６）を軸支させるフロントアクスルケース（５）をエンジン（２）後方の車体フレーム（３）（３）下面に取付け、フロントアクスルケース（５）後方の左右車体フレーム（３）（３）間に無段ベルト変速ケース（３８）を設け、無段変速ケース（３８）後方の左右車体フレーム（３）（３）間にギヤ変速ケース（４）を設けると共に、後車軸（３９）（３９）を介して左右後輪（８）（８）を軸支させるリヤアクスルケース（７）を左右車体フレーム（３）（３）後端下面に固設させ、エンジン（２）出力を各変速ケース（３８）（４）を介して各アクスルケース（５）（７）に走行駆動力として伝達させ、前後輪（６）（８）を駆動するように構成している。
【００１０】
また、左右車体フレーム（３）（３）後端部上面に左右支柱（４０）（４０）を立設させ、左右支柱（４０）（４０）上端を水平フレーム（４１）によって連結させ、支柱（４０）と水平フレーム（４１）を一体固定させて正面視門形に形成する。そして、車体フレーム（３）中間のブレーキペダル受軸（４２）と、前記水平フレーム（４１）中間の間に、前低後高に傾斜させるサブフレーム（４３）（４３）を架設させると共に、サブフレーム（４３）（４３）間に昇降シリンダ（２８）を取付け、またトップリンク（２５）及びロワーリンク（２６）で形成するリンク機構（２７）を各フレーム（３）（４１）に支軸（４４）（４５）を介して取付け、昇降シリンダ（２８）によってリンク機構（２７）を揺動させて植付部（１５）を昇降させるように構成している。
【００１１】
さらに、図６、図７に示す如く、肥料を入れる施肥ホッパ（４６）と、肥料を定量供給する肥料繰出ケース（４７）と、フロート（３４）（３５）の側条施肥シュート（４８）にフレキシブル形搬送ホース（４９）を介して肥料を排出させる送風機（５０）と、円筒形のエアタンク（５１）とを、前記施肥機（３６）に備えると共に、エアタンク（５１）右側端に送風機（５０）を取付け、６条分の６組の肥料繰出ケース（４７）…をエアタンク（５１）上側に配設させている。
【００１２】
さらに、図８、図９、図１０、図１１、図１２に示す如く、前記車体フレーム（３）後端部で水平フレーム（４１）両側に左右ベースフレーム（５２）（５２）を取付け、前後方向に略水平に横架させる前記ベースフレーム（５２）を介して施肥機（３６）を設けると共に、左右ベースフレーム（５２）（５２）にブラケット（５４）（５４）を介してエアタンク（５１）をボルト止め固定させるもので、ベースフレーム（５２）後端部と車体フレーム（３）間にサイドステー（５５）を連結させ、略水平に横架させるベースフレーム（５２）前後側に前後昇降レール（５６）…を立設させ、前後一組左右二対の４本の該昇降レール（５６）（５６）（５６）（５６）を介して施肥機（３６）を昇降自在に取付けると共に、左右一対の２本のガススプリング（５７）（５７）によって昇降自在に施肥機（３６）を取付け、車体フレーム（３）後端部に配置させるリヤアクスルケース（７）に施肥機（３６）重量を支持させるもので、図１３にも示す如く、前後昇降レール（５６）（５６）に対向させる軸受板（５８）を設け、前記レール（５６）に転動自在に嵌込むベアリングローラ（５９）…を軸受板（５８）に回転自在に軸支させ、前後２本のレール（５６）（５６）を左右対称に２組設け、１本のレール（５６）に対して上下２個のローラ（５９）（５９）を取付け、左右一対の軸受板（５８）（５８）を４本のレール（５６）と８個のローラ（５９）…によってベースフレーム（５２）に昇降自在に支持させている。
【００１３】
また、前記ガススプリング（５７）の下端を前記車体フレーム（３）に連結させ、前記軸受板（５８）にガススプリング（５７）上端を連結させ、前記レール（５６）とガススプリング（５７）を略平行に立設させると共に、施肥機（３６）の前後幅方向の重心位置にガススプリング（５７）を連結させるもので、施肥機（３６）の重量と略等しいかまたは若干小さい伸張力をガススプリング（５７）が有するように構成している。
【００１４】
さらに、図１２、図１４、図１５、図１６に示す如く、左右の軸受板（５８）（５８）を丸パイプ形の前フレーム（６０）によって一体固定させ、施肥機（３６）を持上げるときに作業者が握る取手（６１）を前記前フレーム（６０）に溶接固定させ、左右の前記軸受板（５８）（５８）に支軸（６２）（６２）を介して左右ロックレバー（６３）（６３）を回転自在に軸支させ、前側の左右昇降レール（５６）（５６）に左右ロックレバー（６３）（６３）を介して左右軸受板（５８）（５８）前部を係止させると共に、後側の左右昇降レール（５６）（５６）に左右ロックピン（６４）（６４）を摺動自在に取付け、図１３に示す軸受板（５８）の係合孔（５８ａ）にロックピン（６４）を係脱自在に係入させ、後側の左右昇降レール（５６）（５６）に左右軸受板（５６）（５６）後部を左右ロックピン（６４）（６４）を介して係止させ、軸受板（５６）の前部と後部を前後の昇降レール（５６）（５６）にロックレバー（６３）とロックピン（６４）により固定させる。また、前記昇降レール（５６）に上下係合孔（６５）（６６）を形成させ、各係合孔（６５）（６６）にロックレバー（６３）を係入させて施肥機（３６）を上昇位置または下降位置で固定支持させるもので、ロックレバー（６３）を前記取手（６１）の下側に延出させ、運転席（１３）側に突設させる取手（６１）を作業者が握り乍らロックレバー（６３）を操作し、ロックレバー（６３）を係合孔（６５）（６６）から離脱させることができるように構成している。
【００１５】
また、前記前フレーム（６０）にケース前ブラケット（６７）を溶接固定させ、該ケース前ブラケット（６７）に前記繰出ケース（４７）前側をボルト止め固定させるもので、１ユニットとして構成する２条分の繰出ケース（４７）（４７）を左右の昇降レール（５６）（５６）間に配設させ、昇降レール（５６）（５６）の機外側に２条分の繰出ケース（４７）（４７）を夫々配設させ、２条１組として３ユニットの繰出ケース（４７）…を左右に並設させている。
【００１６】
さらに、図１７、図１８、図１９に示す如く、前記繰出ケース（４７）の上面前側の取入口（６８）に前記ホッパ（４６）の下部出口（６９）を嵌着させると共に、前記繰出ケース（４７）前面下側に取出口（７０）を形成し、着脱自在なキャップ（７１）によって取出口（７０）を閉塞している。前記キャップ（７１）を取外して取出口（７０）を開放し、タンク（４６）内部の肥料を前側下方に流下させるもので、このときに施肥機（３６）を昇降レール（５６）の上昇位置に支持させ、取出口（７０）と下方のエアタンク（５１）の間隔を拡大させ、肥料を入れる容器を前記取出口（７０）下方に容易に差し入れることができ、残留肥料の取出しを容易に行えるように構成している。
【００１７】
また、前記繰出ケース（４７）下面に閉塞レバー（７２）を介して底蓋（７３）を着脱自在に固定させると共に、硬質合成樹脂製の前記底蓋（７３）下面に出口（７４）を形成するもので、エアタンク（５１）に前端部を嵌着させる軟質合成樹脂製の接合パイプ（７５）を備え、該パイプ（７５）後端に硬質合成樹脂製のジョイント（７６）前端を着脱自在に嵌着させると共に、前記ジョイント（７６）後端に前記搬送ホース（４９）を嵌着させ、前記送風機（５０）の送風をエアタンク（５１）から各パイプ（７５）…及びホース（４９）に吹出させ、底蓋（７３）の出口（７４）からジョイント（７６）中間に落下する肥料を搬送ホース（４９）に移動させるもので、Ｔ字形フランジを形成する前記ジョイント（７６）中間に入口（７７）を上向き開放に形成し、底蓋（７３）の出口（７４）に嵌合キャップ（７８）を固定させ、該キャップ（７８）を前記入口（７７）に着脱自在に嵌着させ、出口（７４）を入口（７７）に接続させると共に、前記エアタンク（５１）に取付板（７９）を一体固定させ、取付板（７９）に前記ジョイント（７６）をボルト止め固定させている。
【００１８】
また、取入口（８０）及び吹出口（８１）を有する入口板（８２）と、同一円周上に略四角形の複数の繰出口（８３）…を有する繰出板（８４）と、排出口（８５）を有する出口板（８６）を備え、略円形平板製の前記各板（８２）（８４）（８６）を繰出ケース（４７）と底蓋（７３）の間に多層状に配設させると共に、繰出ケース（４７）に繰出軸（８７）を略垂直に回転自在に軸支させ、各板（８２）（８４）（８６）の中央部に繰出軸（８７）下端側を貫通させ、繰出軸（８７）下端にゴム輪（８８）を着脱自在に係止させ、各板（８２）（８４）（８６）を下方に抜出し自在に繰出軸（８７）に支持させ、かつ閉塞レバー（７２）によって各板（８２）（８４）（８６）を繰出ケース（４７）と底蓋（７３）間に弾圧させるもので、入口板（８２）と出口板（８６）を繰出ケース（４７）に係止させ、各板（８２）（８６）に対して繰出軸（８７）を遊転させると共に、繰出板（８４）を繰出軸（８７）に係合軸支させ、繰出軸（８７）によって繰出板（８４）を強制的に回転させ、取入口（８０）から繰出口（８３）に入った肥料を排出口（８５）に移動させて出口（７４）方向に落下させるように構成している。
【００１９】
また、前記取入口（８０）端部で繰出口（８３）上面の余分な肥料を取除くブラシ（８９）を備え、高さ調節する撮（９０）を介して前記ブラシ（８９）を繰出ケース（４７）に高さ調節自在に取付け、繰出板（８４）上面に対するブラシ（８９）下端の高さ調節を繰出ケース（４７）外部から行い、繰出口（８３）の肥料送出量を調節するように構成している。
【００２０】
また、前記入口板（８２）の吹出口（８１）に対向させる圧風取入口（９１）を繰出ケース（４７）に形成し、前記エアタンク（５１）の中空部と前記圧風取入口（９１）を分流パイプ（９２）によって連通させ、前記パイプ（９２）及び取入口（９１）を介して送風機（５０）及びエアタンク（５１）からの送風を吹出口（８１）に供給し、排出口（８５）位置に移動した繰出口（８３）に吹出口（８１）から送風し、該送風によって繰出口（８３）の肥料を下方に強制的に落下させ、粒形の肥料またはこの粉が繰出口（８３）内に残るのを防ぐように構成している。
【００２１】
さらに、図１１、図１６などに示す如く、前記エンジン（２）出力を植付部（１５）に伝達させるＰＴＯ軸（９３）をギヤ変速ケース（４）から後方に延出させると共に、前記左支柱（４０）に軸受筒（９４）を溶接固定させ、軸受筒（９４）の施肥入力軸（９５）を前記ＰＴＯ軸（９３）中間にチェン（９６）を介して連動連結させる。前記施肥入力軸（９５）後端部にクランク板（９７）をボールロック構造により着脱自在に固定させる。また、前記軸受板（５８）及びケース後ブラケット（９８）を一体固定させる四角パイプ形後面フレーム（９９）を備え、エアタンク（５１）及び前フレーム（６０）と略平行に後面フレーム（９９）を横架させ、ケース後ブラケット（９８）に前記繰出ケース（４７）後側をボルト止め固定させる。
【００２２】
また、前記左の軸受板（５８）にブラケット（１００）及び軸（１０１）を介して繰出量調節レバー（１０２）を軸支させると共に、左の軸受板（５８）に支軸（１０３）を介して調節リンク（１０４）及び支点リンク（１０５）を設け、前記レバー（１０２）のネジ部（１０６）に調節リンク（１０４）を連結させ、支点リンク（１０５）に調節支点（１０７）を取付け、該支点（１０７）に駆動アーム（１０８）を軸支させる。そして、運転席（１３）方向に突出させる前記レバー（１０２）の回転操作によってネジ部（１０６）を回転させることにより、前記各リンク（１０４）（１０５）が一体的に回転し、前記調節支点（１０７）位置を変更させるもので、運転席（１３）の作業者によって前記レバー（１０２）の繰出量調節操作が行えるように構成している。
【００２３】
また、前記後面フレーム（９９）に軸受板（１０９）を介して繰出駆動軸（１１０）を回転自在に軸支させ、該駆動軸（１１０）に揺動アーム（１１１）を固定させ、前記駆動アーム（１０８）に長さ調節自在な伸縮ロッド（１１２）一端側を連結させ、かつ前記揺動アーム（１１１）に前記伸縮ロッド（１１２）の他端側を連結させると共に、前記クランク板（９７）を駆動アーム（１０８）に入力ロッド（１１３）を介して連結させ、植付駆動用のＰＴＯ軸（９３）から駆動アーム（１０８）及び入力ロッド（１１３）を介して繰出駆動軸（１１０）に駆動力を伝え、図示しない植付クラッチの入切によって植付部（１５）と施肥機（３６）を同時に作動させたり停止させる操作を行い、また施肥入力軸（９５）に対してクランク板（９７）を取外して駆動部を切離して施肥機（３６）の上昇部を持上げる操作を行うもので、前記レバー（１０２）操作により調節支点（１０７）を位置変更させ、伸縮ロッド（１１２）の往復ストロークを無段階に変更させて肥料繰出量の無段調節を行うように構成している。
【００２４】
さらに、図１０に示す如く、前記後面フレーム（９９）に連れ回り防止一方向クラッチ（１１４）を介してクラッチ軸（１１６）を軸支させ、該クラッチ軸（１１６）に一方向クラッチ（１１７）を介して入力リンク（１１８）を設けると共に、前記繰出駆動軸（１０９）に揺動リンク（１１９）を固定させ、該リンク（１１９）を前記入力リンク（１１８）に連係ロッド（１２０）を介して連結させ、入力リンク（１１８）を揺動させてクラッチ軸（１１６）を一方向に間欠的に回転させるように構成している。
【００２５】
また、前記繰出ケース（４７）に条止めクラッチケース（１２１）を固定させると共に、前記繰出軸（８７）上端側にベベルギヤ（１２２）（１２３）を介して入力軸（１２４）を常時連結させるもので、入力軸（１２４）を前記クラッチ軸（１１６）に継断自在に連結させる条止めクラッチ（図示省略）を前記クラッチケース（１２１）に内設させると共に、前記ケース（１２１）の条止めクラッチを継断操作するクラッチレバー（１２６）とクラッチアーム（１２７）を前記クラッチケース（１２１）の前後に振分け配設させ、前記植付部（１５）の苗載台（１６）上側背面部に設ける植付け条止め用ユニットクラッチレバー（１２８）に、後面フレーム（９８）のアウタ受（１２９）により張設させる条止めワイヤ（１３０）を介して、前記クラッチアーム（１２７）を連結させる。そして、前記植付け条止めユニットクラッチレバー（１２８）操作によって６条植え用の各植付爪（１７）…のいずれかを停止させたとき、停止させた植付爪（１７）に対応する前記ケース（１２１）の条止めクラッチを切断動作させて施肥動作を中止させ、植付爪（１７）によって苗を植付ける条にだけ施肥を行うもので、例えば左側と中央の４条の苗植付けを行うとき、左側と中央の４条の繰出ケース（４７）…から施肥を行うと共に、作業者によってクラッチレバー（１２６）を操作して前記ケース（１２１）の条止めクラッチを切断させることにより、６条の繰出ケース（４７）…のいずれかまたは全部を任意に選択して、苗植付けとは関係なく、施肥を中止させることができるように構成している。
【００２６】
さらに、図８、図９、図１０、図１２に示す如く、前側の左右の昇降レール（５６）（５６）上端部に左右支脚（１３１）（１３１）下端部を固定させ、左右支脚（１３１）（１３１）上端部の間のパイプフレーム（１３２）両側を固定させ、中央２条分の施肥ホッパ（４６）（４６）前側にパイプフレーム（１３２）を横架させるもので、パイプフレーム（１３２）の連結によって左右昇降レール（５６）（５６）を補強すると共に、図６のように運転席（１３）後側の車体カバー（１２）後部中央上面に補充用の肥料袋（１３４）を載せたとき、肥料袋（１３４）の前方傾倒を運転席（１３）によって防ぎ、略平行に左右に延設させた上方のパイプフレーム（１３２）と下方の取手（６１）によって肥料袋（１３４）の後方傾倒を防ぐ。また、１ユニット２条分の搬送ホース（４９）（４９）下側に丸棒形ホースガイド体（１３３）の中間を延設させ、前記ホースガイド体（１３３）両端部を搬送ホース（４９）上方に折曲げて取付板（７９）（７９）側面に固定させ、ジョイント（７６）連結部近くの搬送ホース（４９）の下方向及び左右方向の折曲がりをホースガイド体（１３３）によって制限し、ジョイント（７６）延長方向に搬送ホース（４９）連結端部を延設支持させ、搬送ホース（４９）の折曲がりによって該ホース（４９）連結端部がジョイント（７６）から外れるのを防いでいる。
【００２７】
さらに、図１３、図１４、図１５に示す如く、中央２条分の肥料繰出ケース（４７）（４７）取付位置外側で前フレーム（６０）と後面フレーム（９９）に左右の軸受板（５８）（５８）を溶接固定させると共に、前フレーム（６０）と後面フレーム（９９）の両端部を左右のサイドフレーム（１３５）（１３５）によって一体固定させ、両側２条分の肥料繰出ケース（４７）（４７）を軸受板（５８）とサイドフレーム（１３５）間の前フレーム（６０）及び後面フレーム（９９）に取付けるもので、四角枠形の各フレーム（６０）（９９）（１３５）を軸受板（５８）によって左右方向に三等分に区切り、前後のフレーム（６０）（９９）間に６条分の肥料繰出ケース（４７）を掛け渡し支持させる。
【００２８】
さらに、図１、図２０、図２１、図２２に示す如く、弾性を有する可撓性の金属丸棒製の前記ホースガイド体（１３３）を設け、前記ジョイント（７６）近くの搬送ホース（４９）端部を下方側からホースガイド体（１３３）によって支持させ、前記肥料繰出ケース（４７）の出口を側条施肥シュート（４８）に接続させる少なくとも２条分の搬送ホース（４９）（４９）の下面方向の折曲がりを１本のホースガイド体（１３３）によって規制し、前記肥料繰出ケース（４７）出口側で搬送ホース（４９）の下方向曲がりをホースガイド体によって防ぎ、搬送ホース（４９）が下方の後輪（８）などに干渉するのを阻止すると共に、搬送ホース（４９）の上方向曲がりを自由にすることにより、植付部（１５）上昇時に搬送ホース（４９）が無理に曲げられるのを防いでいる。
【００２９】
また、前記植付ケース（２０）に下端側を固定させてガイドレール（１９）を上端側に支持させる左右の苗台支柱（１３６）（１３６）中間部にホースガイドフレーム（１３７）をボルト止め固定させ、前記苗載台（１６）裏面側で左右方向に略水平にホースガイドフレーム（１３７）を横架させると共に、板バネ製で一部切欠円形の挾持バンド（１３８）をホースガイドフレーム（１３７）に固定させ、挾持バンド（１３８）内に一部切欠部を介して搬送ホース（４９）中間を着脱自在に内挿させ、６個の挾持バンド（１３８）…を介して１本のホースガイドフレーム（１３７）に６本の搬送ホース（４９）…中間を固定させるもので、前記肥料繰出ケース（４７）の出口を側条施肥シュート（４８）に接続させる多条用の各搬送ホース（４９）…中間を係止させる単一のホースガイドフレーム（１３７）を設け、植付部（１５）の苗載台（１６）裏面側に前記ホースガイドフレーム（１３７）を配設させ、多条用の各搬送ホース（４９）…を苗載台（１６）裏面側でホースガイドフレーム（１３７）によって整列させて支持している。
【００３０】
また、前記挾持バンド（１３８）と略同一形状の左右挾持部（１３９）（１３９）を有する支持アーム（１４０）を前記植付ケース（２０）に固定させ、前記側条施肥シュート（４８）近くの搬送ホース（４９）端部を挾持部（１３９）に着脱自在に係止させると共に、前記ジョイント（７６）とホースガイドフレーム（１３７）間の搬送ホース（４９）を隣接の搬送ホース（４９）に連結させるホース結束体（１４１）を設け、バネ鋼で形成する丸棒形の前記ホース結束体（１４１）両側を円形に折曲げて左右係止部（１４２）（１４２）を形成し、隣接する２条分２本の搬送ホース（４９）（４９）を左右係止部（１４２）（１４２）に着脱自在に係入させるもので、前記肥料繰出ケース（４７）の出口を側条施肥シュート（４８）に接続させる少なくとも２条分の搬送ホース（４９）（４９）中間をホース結束体（１４１）によって結束して互に折曲がるのを規制し、ホース結束体（１４１）の連結により搬送ホース（４９）の左右方向折曲がりを互に規制して横倒れを容易に防ぐと共に、植付部（１５）を昇降させたとき、ホース結束体（１４１）によって連結された２本の搬送ホース（４９）（４９）が同一方向に緩やかに折曲がり、植付部（１５）昇降時に搬送ホース（４９）がスムーズに変形し、搬送ホース（４９）が急激に折曲がったり、接合部が外れる等の不具合をなくしている。
【００３１】
また、図２０のように、中央２条分の搬送ホース（４９）（４９）をホース結束体（１４１）によって連結させ、左右両側の２条分の搬送ホース（４９）（４９）をホースガイド体（１３３）に支持させると共に、前記結束体（１４１）及びガイド体（１３３）によって連結する２条分のホース（４９）（４９）間隔を、ジョイント（７６）に連結させるホース（４９）（４９）端部側の間隔よりも小さくし、ジョイント（７６）とガイドフレーム（１３７）間の２条分のホース（４９）（４９）を正面視（平面視）逆ハの字形に延設させ、前記２条分のホース（４９）（４９）が外側に横倒れしにくいように支持している。また、前記ホース結束体（１４１）の連結によって中央２条分のホース（４９）（４９）がリンク機構（２７）の左右幅内上方に支持されると共に、左右の各２条分のホース（４９）（４９）もホース結束体（１４１）によって連結してもよく、中央の２条分のホース（４９）（４９）をガイド体（１３３）によって支持してもよい。
【００３２】
さらに、図２３に示す如く、前記搬送ホース（４９）を側条施肥シュート（４８）に電気絶縁性合成樹脂製ブーツ（１４３）を介して連結させると共に、前記ブーツ（１４３）に一体形成するセンサ取付部（１４４）に詰りセンサ（１４５）を差込み、また前記シュート（４８）をアース接続させ、側条施肥シュート（４８）内部に肥料が詰ったとき、前記センサ（１４５）が肥料を介して導電性の前記シュート（４８）に電気接続され、肥料の詰り検出が行われるもので、特別に部品を取付けることなくブーツ（１４３）に前記センサ（１４５）を支持させ、肥料の取付部品への付着による錆びを防いでセンサ（１４５）の経時的性能低下を防ぎ、かつセンサ（１４５）部の肥料粉塵の除去を容易に行えるように構成している。
【００３３】
上記から明らかなように、肥料を入れる施肥ホッパ（４６）と、該ホッパ（４６）の肥料を送出させる多条用の肥料繰出ケース（４７）と、前記ケース（４７）の肥料送出部に送風を供給するエアタンク（５１）と、エアタンク（５１）一側に設ける送風機（５０）を備える田植機において、前記肥料繰出ケース（４７）の出口に接続させる搬送ホース（４９）の折曲がりを規制するホースガイド体（１３３）を前記エアタンク（５１）よりも後方に設けるもので、前記ホースガイド体（１３３）のホース支持部と固定部とを接近させてホースガイド体（１３３）の固定部に作用する搬送ホース（４９）支持荷重を低減させることができ、搬送ホース（４９）の揺振などのよるホースガイド体（１３３）の変形損傷を防いで搬送ホース（４９）を適正姿勢で支持させることができる。
【００３４】
また、肥料繰出ケース（４７）の出口を側条施肥シュート（４８）に接続させる搬送ホース（４９）の下面方向の折曲がりを規制するホースガイド体（１３３）を設け、また前記肥料繰出ケース（４７）の出口を側条施肥シュート（４８）に接続させる多条用の各搬送ホース（４９）中間を係止させるホースガイドフレーム（１３７）を設け、苗載台（１６）裏面の左右苗台支柱（１３６）に前記ホースガイドフレーム（１３７）を固定させ、側条施肥シュート（４８）近傍の搬送ホース（４９）を取付ける支持部材である支持アーム（１４０）を設け、前記エアタンク（５１）よりも後方でホースガイド体（１３３）を固定させ、エアタンク（５１）の後側に設ける搬送ホース（４９）のジョイント（７６）近くでホースガイド体（１３３）によって搬送ホース（４９）を支持させるもので、植付部（１５）の苗載台（１６）裏面側に前記ホースガイドフレーム（１３７）を配設させることにより、多条用の各搬送ホース（４９）を苗載台（１６）裏面側でホースガイド体（１３３）とホースガイドフレーム（１３７）によって後輪（８）などに対して離反させて整列支持でき、苗載台（１６）裏面側構造の簡略化並びにメンテナンス作業性の向上などを容易に図ることができると共に、苗載台（１６）傾斜上端側を支える左右苗台支柱（１３６）を利用して前記ホースガイドフレーム（１３７）を固定させるから、ホースガイドフレーム（１３７）の支持強度の確保並びに取付け構造の簡略化などを容易に行うことができ、また前記ホースガイド体（１３３）及びホースガイドフレーム（１３７）及び支持部材（１４０）によって搬送ホース（４９）上端部及び中間部及び下端部を適正姿勢で適正位置に支持でき、泥土が付着し易い搬送ホース（４９）が脱落したり他の部材と接触するのを容易に防止できる。
【図面の簡単な説明】
【００３５】
【図１】搬送ホース部の側面説明図である。
【図２】全体の側面図である。
【図３】同平面図である。
【図４】走行車の側面図である。
【図５】同平面図である。
【図６】施肥機部の平面図である。
【図７】同背面図である。
【図８】昇降レール部側面図である。
【図９】肥料繰出ケース部の側面図である。
【図１０】肥料繰出ケース部の平面図である。
【図１１】ベースフレーム部の側面図である。
【図１２】肥料繰出ケース部の背面図である。
【図１３】軸受板部の側面図である。
【図１４】取手部の平面図である。
【図１５】同背面図である。
【図１６】同側面図である。
【図１７】肥料繰出ケースの断面側面図である。
【図１８】同断面背面図である。
【図１９】同断面平面図である。
【図２０】搬送ホース部の正面説明図である。
【図２１】同部分平面図である。
【図２２】同部分平面図である。
【図２３】同部分側面図である。
【符号の説明】
【００３６】
１走行車（走行機体）
１５植付部
１６苗載台
１７植付爪
２０植付ケース
３６施肥機
４６施肥ホッパ
４７肥料繰出ケース
４８側条施肥シュート
４９搬送ホース
５０送風機
５１エアタンク
７６ジョイント
７９取付板
１３３ホースガイド体
１３６苗台支柱
１３７ホースガイドフレーム
１３８挟持バンド
１４０支持アーム（支持部材）
１４３ブーツ
【図１】
0003670270.tif 000002
【図２】
0003670270.tif 000003
【図３】
0003670270.tif 000004
【図４】
0003670270.tif 000005
【図５】
0003670270.tif 000006
【図６】
0003670270.tif 000007
【図７】
0003670270.tif 000008
【図８】
0003670270.tif 000009
【図９】
0003670270.tif 000010
【図１０】
0003670270.tif 000011
【図１１】
0003670270.tif 000012
【図１２】
0003670270.tif 000013
【図１３】
0003670270.tif 000014
【図１４】
0003670270.tif 000015
【図１５】
0003670270.tif 000016
【図１６】
0003670270.tif 000017
【図１７】
0003670270.tif 000018
【図１８】
0003670270.tif 000019
【図１９】
0003670270.tif 000020
【図２０】
0003670270.tif 000021
【図２１】
0003670270.tif 000022
【図２２】
0003670270.tif 000023
【図２３】
0003670270.tif 000024